(57)【要約】【課題】  従来、専ら補綴物の収まり状態の確認・検証のために用意されていた歯科模型を、補綴物素材ブロックを三次元加工する際の保持手段として活用するようにした新規な補綴物加工方法並びに加工装置を提供する。【解決手段】  本発明の補綴物加工方法は、患者Ｐの歯型データに基づき、支台歯Ｔの頂部形状を再現した擬似歯台１０を作成し、且つ当該擬似歯台１０に頂部から他の外面に連通する吸引孔１３を形成し、また擬似歯台１０における頂部の三次元データの凹凸関係を逆にして、補綴物素材ブロックＷＢに接合部Ｗ２を切削加工するものであり、その後、前記補綴物素材ブロックＷＢを、擬似歯台１０の頂部に密着させるように設置するとともに擬似歯台１０の吸引孔１３にバキュームエアを作用させ、補綴物素材ブロックＷＢを擬似歯台１０に保持させた状態で、補綴物素材ブロックＷＢの本体面Ｗ３を三次元切削するようにしたことを特徴とする。【選択図】図２
2016030158.tif 000002
【特許請求の範囲】
【請求項１】
硬質の補綴物素材ブロックを三次元切削し、歯科用の補綴物を加工する方法であって、
この方法は、
治療対象の歯の土台部分をモデルで再現した擬似歯台を作成する〈擬似歯台加工ステップ〉と、
作成した擬似歯台の頂部に密着状態に接合する接合部を補綴物素材ブロックに形成する〈補綴物の接合部加工ステップ〉と、
前記接合部以外の本体面を補綴物素材ブロックに形成する〈補綴物の本体面加工ステップ〉とを具えて成り、
前記〈擬似歯台加工ステップ〉では、患者の歯型データを三次元データとして取得した後、このデータに基づき、土台部分の頂部形状を再現した擬似歯台を作成し、且つ当該擬似歯台に頂部から他の外面に連通する吸引孔を形成するものであり、
また〈補綴物の接合部加工ステップ〉では、前記擬似歯台における頂部の三次元データの凹凸関係を逆にして、補綴物素材ブロックに接合部を切削加工するものであり、
また〈補綴物の本体面加工ステップ〉では、前記接合部が形成された補綴物素材ブロックを、擬似歯台の頂部に密着させるように設置するとともに擬似歯台の吸引孔にバキュームエアを作用させ、補綴物素材ブロックを擬似歯台に保持させた状態で、補綴物素材ブロックの本体面を三次元切削し、希望する当該補綴物形状を得るようにしたことを特徴とする補綴物加工方法。
【請求項２】
前記〈擬似歯台加工ステップ〉において擬似歯台を作成するにあたっては、一定サイズの硬質の擬似ベースブロックから切削加工による削り出しによって作成するようにしたことを特徴とする請求項１記載の補綴物加工方法。
【請求項３】
スピンドルに支持されて回転する切削刃と、
ワークを保持するワーク架台とを具え、
ワーク架台に硬質の補綴物素材ブロックを保持させ、この補綴物素材ブロックを適宜の切削データに基づいて、所望の立体形状に三次元加工し、歯科用補綴物を加工する装置であって、
前記ワーク架台に補綴物素材ブロックを保持させるにあたっては、治療対象の歯の土台となる頂部形状を有した擬似歯台を介して補綴物素材ブロックを保持するものであり、
また、当該擬似歯台には、補綴物素材ブロックが密着する頂部から擬似ベースブロックの他の外面に連通する吸引孔が形成され、補綴物素材ブロックを保持する際には、擬似歯台をワーク架台に取り付け、且つ擬似歯台の吸引孔にバキュームエアを作用させ、前記ワーク架台に取り付けた擬似歯台に補綴物素材ブロックを吸着保持させるようにしたことを特徴とする補綴物加工装置。
【請求項４】
前記ワーク架台は、補綴物加工装置の定盤上に設置されるものであり、その設置位置が適宜変更できるように構成されることを特徴とする請求項３記載の補綴物加工装置。
【発明の詳細な説明】
【技術分野】
【０００１】
本発明は、歯科用補綴物の加工方法並びにその加工装置に関するものである。
【背景技術】
【０００２】
歯科治療の手法は種々あり、治療対象となる歯やその周辺の顎部等の状況、更には治療を受ける患者（被治療者）自身の健康状態等、多くのファクターを考慮して最適な手法が採られている。
このうち近年、インプラント手法に代表されるように人工的に歯台（支台歯）を作成する支台築造、あるいはできるだけ本人の自然歯を活かして、歯頂部の患部のみを切除して歯台とし、このような歯台上にクラウンやブリッジと称される補綴物を設ける（被せる）ようにした手法が注目されている（例えば特許文献１〜３参照）。
【０００３】
このような歯科治療においては、クラウンやブリッジ等の補綴物を、超硬質樹脂やセラミックの素材ブロック（以下、補綴物素材ブロックとする）から、治療対象となる歯の隣在歯や咬合歯などの状況を勘案しながら、所望の歯牙形状に再現するように削り出す三次元加工が行われる。当然ながら、このような加工にあたっては、例えば図３に示すように、補綴物素材ブロックＷＢ′を自動切削機（ミリングマシン）Ｍのワーク架台に固定するための手段を必要としている。
【０００４】
このため補綴物素材ブロックＷＢ′は、上記図３に併せ示すように、ステーＳ付きの支持台座Ｄに固定されてミリングマシンＭに供給され、この支持台座ＤにおけるステーＳをミリングマシンＭの適宜のクランプで掴持するように構成される。そして、この状態で補綴物素材ブロックＷＢ′に切削刃７′を作用させ、必要な三次元形状に加工する。
また、この加工時には、補綴物素材ブロックＷＢ′の加工部位を一定姿勢に保持しておくため、支持台座Ｄとの間を接続させるランナー部Ｒを残して切削し、概ね全体的な加工（形状切削）が終了した後、支持台座Ｄのクランプを解除して、ワーク（切削加工を終えた補綴物素材ブロックＷＢ′）全体を取り出し、このランナー部Ｒを別途、手作業で切断し、その切断面を平滑に仕上げて、クラウン等の補綴物Ｗ′を完成させている。
【０００５】
なお、本図３では、補綴物素材ブロックＷＢ′を加工する切削刃７′は一本だけで描いているが、例えばクラウンの場合等には、補綴物素材ブロックＷＢ′の表面側（支台歯に被せた際に口腔内に露出する側）と、内面側（支台歯に被せた際に支台歯に密着し、露出しない側）とを別々に切削するように二本の切削刃７′を設けるのが一般的である。
もちろん、補綴物素材ブロックＷＢ′の加工にあたって、ランナー部Ｒは、補綴物Ｗ′の一番シンプルな形状面の部位を選んで確保されるが、そうであっても補綴物Ｗ′と支持台座Ｄとのランナー部Ｒにおける切り離し、及びその後のランナー部Ｒの平滑手仕上げには、一定の工数と高いスキルを要するものであった。
また、補綴物素材ブロックＷＢ′の素材がジルコニアである場合には、素材そのものが極めて硬いため、簡単にランナー部Ｒを折って修正することはできなかった。
【０００６】
ところで、このような補綴物Ｗ′の加工は、歯科医師が直接行うこともあるが、多くは専門的な加工スキルを有する歯科技工士により行われる。この際、歯科医への加工済み補綴物Ｗ′の引き渡しは、慣行的に直接治療に必要な治療個所（補綴物Ｗ′）だけではなく、治療対象の歯の周辺（隣在歯や咬合歯等）までを併せて再現した歯科模型（支台模型）を作成した上、当該歯科模型に補綴物Ｗ′を設置した（被せた）状態で納品される。因みに、このような納品形態が慣行となったのは、補綴物Ｗ′の収まり具合等を確認し、且つ仕上がり具合の検証をもできるようにするという要求からと思われるが、当然ながら治療には、この歯科模型は直接利用されることなく廃棄されている。
【先行技術文献】
【特許文献】
【０００７】
【特許文献１】特開２００５−１６８８２５号公報
【特許文献２】特開２００７−２０９５７５号公報
【特許文献３】特開２０１２−２４３９６号公報
【発明の概要】
【発明が解決しようとする課題】
【０００８】
本発明は、このような背景を認識してなされたものであって、従来、専ら補綴物の収まり状態の確認・検証のためのみに用意されていた歯科模型の存在に注目し、これを補綴物素材ブロックを三次元加工する際の保持手段として活用できるであろうとの着眼から本発明の完成に到ったものである。すなわち、本発明は、従来、行われていた切削加工後のランナー部の切断並びに仕上げ作業を排することができる新規な補綴物加工方法並びに装置の開発を技術課題としたものである。
【課題を解決するための手段】
【０００９】
補綴物加工方法は、
硬質の補綴物素材ブロックを三次元切削し、歯科用の補綴物を加工する方法であって、  この方法は、
治療対象の歯の土台部分をモデルで再現した擬似歯台を作成する〈擬似歯台加工ステップ〉と、
作成した擬似歯台の頂部に密着状態に接合する接合部を補綴物素材ブロックに形成する〈補綴物の接合部加工ステップ〉と、
前記接合部以外の本体面を補綴物素材ブロックに形成する〈補綴物の本体面加工ステップ〉とを具えて成り、
前記〈擬似歯台加工ステップ〉では、患者の歯型データを三次元データとして取得した後、このデータに基づき、土台部分の頂部形状を再現した擬似歯台を作成し、且つ当該擬似歯台に頂部から他の外面に連通する吸引孔を形成するものであり、
また〈補綴物の接合部加工ステップ〉では、前記擬似歯台における頂部の三次元データの凹凸関係を逆にして、補綴物素材ブロックに接合部を切削加工するものであり、
また〈補綴物の本体面加工ステップ〉では、前記接合部が形成された補綴物素材ブロックを、擬似歯台の頂部に密着させるように設置するとともに擬似歯台の吸引孔にバキュームエアを作用させ、補綴物素材ブロックを擬似歯台に保持させた状態で、補綴物素材ブロックの本体面を三次元切削し、希望する当該補綴物形状を得るようにしたものである。
【００１０】
また、前記〈擬似歯台加工ステップ〉において擬似歯台を作成するにあたっては、一定サイズの硬質の擬似ベースブロックから切削加工による削り出しによって作成することが好ましい。
【００１１】
補綴物加工装置は、
スピンドルに支持されて回転する切削刃と、
ワークを保持するワーク架台とを具え、
ワーク架台に硬質の補綴物素材ブロックを保持させ、この補綴物素材ブロックを適宜の切削データに基づいて、所望の立体形状に三次元加工し、歯科用補綴物を加工する装置であって、
前記ワーク架台に補綴物素材ブロックを保持させるにあたっては、治療対象の歯の土台となる頂部形状を有した擬似歯台を介して補綴物素材ブロックを保持するものであり、
また、当該擬似歯台には、補綴物素材ブロックが密着する頂部から擬似ベースブロックの他の外面に連通する吸引孔が形成され、補綴物素材ブロックを保持する際には、擬似歯台をワーク架台に取り付け、且つ擬似歯台の吸引孔にバキュームエアを作用させ、前記ワーク架台に取り付けた擬似歯台に補綴物素材ブロックを吸着保持させるようにしたものである。
【００１２】
また、前記ワーク架台は、補綴物加工装置の定盤上に設置されるものであり、その設置位置が適宜変更できるように構成されることが好ましい。
【発明の効果】
【００１３】
補綴物加工手法は、擬似歯台の頂部（補綴物設置部）と同じ三次元データ（凹凸関係を逆）を有する接合部を補綴物素材ブロックに形成し、これを擬似歯台の頂部に密着状態に設置するとともに補綴物素材ブロックをバキュームエアで擬似歯台に吸着保持させて、補綴物素材ブロックの本体面を削り出して行くため、ステーや支持台座を有しない補綴物素材ブロックから切削加工することができ、従来のようなランナー部を残す必要がなく（確保する必要がなく）、ランナー部の切除や、この切除痕の平滑研摩等の作業も不要となる。
【００１４】
また、〈擬似歯台加工ステップ〉において、一定サイズの擬似ベースブロックから種々の擬似歯台を削り出すようにすると、擬似歯台の頂部形状のみを削り出すだけで、底面となる元々のブロック部分は、補綴物加工装置に嵌める（取り付ける）座面としてそのまま使用することができ、座面を特に加工する手間が掛からないものである。
【００１５】
また、ワーク架台の設置位置が、補綴物加工装置の定盤上において変更できるように構成されると、任意の位置で補綴物素材ブロックを吸着保持することができ（自由な位置で固定でき）、本体面の加工が行い易くなる。
【図面の簡単な説明】
【００１６】
【図１】本発明の補綴物加工方法において「支台歯の形成」から「擬似歯台の作成」までの一例を段階的に示す説明図である。
【図２】本発明の補綴物加工方法において「補綴物の接合部の削り出し」から「補綴物の完成」までの一例を段階的に示す説明図である。
【図３】ステーと支持台座を有した補綴物素材ブロックから補綴物を削り出していた従来手法を骨格的に示す説明図である。
【発明を実施するための形態】
【００１７】
本発明を実施するための形態は、以下の実施例に述べるものをその一つとするとともに、更にその技術思想内において改良し得る種々の手法を含むものである。
【実施例】
【００１８】
なお、以下の説明においては、補綴物加工方法すなわち補綴物Ｗの加工方法の全体的な流れについて説明しながら、併せて補綴物加工装置１について説明する。
【００１９】
（１）現状把握（症状等の把握）と治療方針の決定  
まず、患者Ｐの歯（患部）の状態を把握するものであり、これには患者Ｐの口腔内全体または患部をＸ線撮影し、更には歯科医が患部（治療箇所）を目視や触診等して検査し、患部（歯牙、歯頸、歯肉、歯根等）の状態を把握する。
なお、このような現状把握により、患者Ｐの過去の治療状況も概ね把握でき、このような種々の状況を総合的に勘案して治療方針が決定される。
ここで、以下の説明では、補綴物Ｗとして主にクラウンを想定し、これを歯の土台となる歯台（支台歯Ｔ）に被せる（設置する）治療態様を例示する（図１（ａ）参照）。因みに、歯の治療方法としては、他にもブリッジ、インレー、アンレー、インプラント、義歯（部分入れ歯・総入れ歯）等が考えられる。
【００２０】
（２）支台歯の形成
実際の治療では、例えば図１（ａ）に示すように、まず歯根の状況等により歯の土台となる支台歯Ｔを形成するものであり、これには例えば支台歯Ｔを人工的に作成する支台築造、あるいはできるだけ患者Ｐの自然歯を活かし、歯頂部の患部のみを切除して支台歯Ｔとする方法等があり、適宜、決定される。
【００２１】
（３）歯型データの取得
支台歯Ｔを形成した後、例えば図１（ｂ）−i)に示すように、３Ｄ光学カメラＣにより患者Ｐの口腔内を撮像し、治療個所となる支台歯Ｔとその周辺（隣在歯や咬合歯）の三次元データを取得する。なお、図１（ｂ）−ii) に示すものが、取得した歯型データ（三次元データ）のイメージである。
因みに、本図１（ｂ）−ii) では、支台歯Ｔに被せる（設置する）補綴物Ｗの形状は図示していないが、歯型データの取得により、つまり隣在歯や咬合歯の形状や噛み合わせ状況等から最適な補綴物Ｗが解析・作成でき、三次元データとして得られるものである。
また、このような３Ｄ光学カメラＣを使ってコンピュータ上で歯型データを取得する手法は、実際にアルジネート等の印象材を患者Ｐに噛ませて型取りを行う手法ではないため、患者Ｐに与える負担や不快感がなく、しかも正確な補綴物Ｗが短期間（短時間）で得られるものである。もちろん、患者Ｐの要望等によっては、アルジネート等の印象材で実際に型取りを行い、その型（歯科模型）から歯型データを取得することも可能である。
なお、歯型データの取得は、患部（虫歯）の切除を始める前に採取することもあり、これは主に治療前に隣在歯との位置関係やスキ、あるいは咬合歯との噛み合わせ状況等を確認しておきたい場合に採用される。
【００２２】
（４）擬似歯台（補綴物設置部）の加工
その後、上記歯型データ（口腔内の三次元データ）に基づき、治療対象の歯の土台である支台歯Ｔのモデルを作成するものであり（作成したモデルを擬似歯台１０とする）、この擬似歯台１０は、例えば図１（ｃ）−i)に示すように、一定サイズの直方体状または立方体状の擬似ベースブロック１０Ｂから削り出される。この場合、擬似ベースブロック１０Ｂの底部を座面１１として、擬似ベースブロック固定装置２（以下、単に固定装置２とすることがある）に嵌め込み、擬似ベースブロック１０Ｂをクランプ２１等により固定するものである。ここで、擬似ベースブロック１０Ｂとしては、例えば硬質プラスチック素材などが適用される。
その後、図１（ｃ）−ii) に示すように、固定した擬似ベースブロック１０Ｂに、回転する切削刃２２を作用させ、擬似歯台１０の頂部を、患者Ｐの支台歯Ｔの頂部形状通りに加工して行く。ここで擬似歯台１０の頂部は、補綴物Ｗを被せる際の設置部となるため、当該部位を補綴物設置部１２とする。
【００２３】
（５）擬似歯台の座面側について
なお、固定装置２にクランプした状態の擬似歯台１０の座面１１側は、元のブロック形状のまま、何も切削加工を施さないものであり、当該部位を、後述する補綴物加工装置１（ワーク架台４）に嵌めて、擬似歯台１０の取り付けを図るものである。
因みに、従来のクラウン形成手法は、上記擬似ベースブロック１０Ｂと同じようなブロック素材から削り出して行くことが多かったため、本発明でも擬似歯台１０の加工にあたり、同様の手法が踏襲できることは、新たな加工設備などが不要となるメリットがある。また製作者も加工作業や機器の操作に慣れており、安心感があるものである。
なお、擬似歯台１０の作成、つまり補綴物設置部１２を形成するには、３Ｄプリンター（積層造形法）を適用することも可能である。
【００２４】
（６）擬似歯台（吸引孔）の加工
また、この擬似ベースブロック１０Ｂ（擬似歯台１０）には、図１（ｃ）−iii)  に示すように、頂部となる補綴物設置部１２から他の外面に連通する吸引孔１３を形成するものであり、本実施例では二カ所（二本）の吸引孔１３を形成する。より詳細には、擬似歯台１０の頂部から、その対向面（座面１１）までストレート状に、二本の吸引孔１３を貫通状態に形成する。
なお、当該吸引孔１３は、後述の補綴物素材ブロックＷＢを削り出す際、ここにバキュームエアを作用させることにより、補綴物素材ブロックＷＢを擬似歯台１０に被せた（設置した）状態で吸着保持するための保持孔である（ワークたる補綴物素材ブロックＷＢの保持固定）。
因みに、本図では、擬似ベースブロック１０Ｂに補綴物設置部１２を加工した後、吸引孔１３を開口形成するように示したが、この順序は逆でも構わない。
【００２５】
（７）補綴物（接合部）の加工
次に、補綴物Ｗの接合部Ｗ２の形状を切削加工により形成するものであり、ここで接合部Ｗ２とは、補綴物Ｗを擬似歯台１０に被せる（設置する）際に、擬似歯台１０（補綴物設置部１２）に接触する部位である。また、当該加工においても、擬似歯台１０の加工と同様に、例えば一定サイズの直方体状または立方体状の補綴物素材ブロックＷＢから削り出して行くものである。ここで補綴物素材ブロックＷＢは、予め複数色用意されており、患者Ｐの自然歯の色に最も適合した色の補綴物素材ブロックＷＢが選択される。
そして、補綴物素材ブロックＷＢから接合部Ｗ２の形状を削り出して行くには、一例として図２（ｄ）−i)に示すように、補綴物素材ブロックＷＢの底部を座面Ｗ１として、補綴物素材ブロック固定装置３（以下、単に固定装置３とすることがある）に嵌め込み、補綴物素材ブロックＷＢをクランプ３１等により固定するものである。
【００２６】
その後、一例として図２（ｄ）−ii) に示すように、補綴物素材ブロックＷＢの基面（ここでは上面）を凹陥状に切削して行くものであり（これが接合部Ｗ２となる）、この際、前記擬似歯台１０における補綴物設置部１２（頂部）の三次元データの凹凸関係を逆にして、補綴物素材ブロックＷＢに凹陥状の接合部Ｗ２を形成して行く。
これにより、補綴物素材ブロックＷＢの接合部（凹形状）Ｗ２は、擬似歯台１０の補綴物設置部１２（凸形状）と一致し、補綴物素材ブロックＷＢを擬似歯台１０に被せた（設置した）際、安定的な載置状態が得られる。すなわち、後に行う補綴物Ｗの本体面Ｗ３を形成する際、補綴物素材ブロックＷＢを擬似歯台１０に被せ、吸着させた状態で削り出しを行うため、当該本体面Ｗ３の加工において補綴物素材ブロックＷＢがずれることなく、切削が確実に且つ精緻に行えるものである。
また、補綴物素材ブロックＷＢとしては、例えばオールセラミック、ハイブリッドセラミック、ジルコニア等の素材が適用される。
【００２７】
なお擬似ベースブロック１０Ｂと補綴物素材ブロックＷＢのサイズ（加工前のもともとのサイズ）を同じ大きさにしておけば、擬似歯台１０の加工時に擬似ベースブロック１０Ｂを固定する固定装置２と、補綴物加工時（接合部Ｗ２の加工時）に補綴物素材ブロックＷＢを固定する固定装置３とが兼用でき、更には切削刃２２・３２やこれを支持するスピンドル（図示略）等も共通して使用することができる。
【００２８】
（８）補綴物加工装置
以上のようにして補綴物Ｗ（補綴物素材ブロックＷＢ）の接合部Ｗ２まで形成したら、次は補綴物加工装置１によって本体面Ｗ３（接合部Ｗ２以外の面であり主に歯牙表面）を削り出すが、まずはこの加工を行う補綴物加工装置１について説明する。
補綴物加工装置１は、補綴物素材ブロックＷＢ（補綴物Ｗ）の本体面Ｗ３を所望の三次元形状に削り出す装置であり、一例として図２（ｅ）・（ｆ）に示すように、補綴物素材ブロックＷＢが被せられる（設置される）擬似歯台１０と、擬似歯台１０を安定状態で載置するワーク架台４と、ワーク架台４を着脱自在に取り付ける定盤５と、補綴物素材ブロックＷＢを擬似歯台１０に吸着保持するためのバキューム機構６と、スピンドルに支持されて回転する切削刃７とを具えて成る。このように本発明では、擬似歯台１０を介してワーク架台４が補綴物素材ブロックＷＢを間接的に保持する態様となる（ワーク架台４によって補綴物素材ブロックＷＢを直接保持する態様ではない）。
【００２９】
（９）ワーク架台の吸引路
また、このため上記ワーク架台４には、一例として上記図２（ｅ）に併せ示すように、吸引路４１が形成されるものであり、この吸引路４１は、擬似歯台１０をワーク架台４に載置したセット状態で、ワーク架台４の吸引路４１と、擬似歯台１０の吸引孔１３（ここでは二本）とが連通するように構成される。
そして、上記補綴物加工装置１により補綴物素材ブロックＷＢの本体面Ｗ３を削り出す際には、例えば図２（ｅ）に併せ示すように、擬似歯台１０に補綴物素材ブロックＷＢを被せ（設置し）、この状態で上記バキューム機構６を稼働させて、前記吸引路４１及び吸引孔１３にバキュームエアを作用させ、補綴物素材ブロックＷＢを強固に吸着保持するものである。
【００３０】
因みに、吸引路４１及び吸引孔１３にバキュームエアを生じさせるには、例えば吸引路４１の先端部に真空ポンプを接続しておき、吸引路４１及び吸引孔１３を直接、真空引きすることも可能である。また、他にも吸引路４１の先端部にエジェクタ（エジェクタポンプ）を接続しておき、このエジェクタポンプに圧縮空気を送り込むことにより吸引路４１及び吸引路１３に吸引作用を生じさせ、補綴物素材ブロックＷＢを吸着保持することも可能である。
なお、ワーク架台４は、定盤５上において設置位置が変更できるように構成されることが好ましい。具体的には定盤５に取り付けるための孔をワーク架台４に開口する場合には、この孔を長孔状に形成したり、あるいはワーク架台４を定盤５に固定するための溝を定盤５に形成する場合には、この溝を長溝状に形成したりすること等が考えられ、これにより任意の位置でワークたる補綴物素材ブロックＷＢを吸着保持することができ、本体面Ｗ３の加工が行い易くなるものである。
【００３１】
（１０）補綴物素材ブロックの擬似歯台への設置
以下、このような補綴物加工装置１を使用して、補綴物素材ブロックＷＢの本体面Ｗ３を削り出す加工態様について説明する。
まず、補綴物設置部１２が形成された擬似歯台１０を補綴物加工装置１のワーク架台４に設置する。これには、図２（ｅ）に併せ示すように、補綴物設置部１２が上向きとなるように、擬似歯台１０をワーク架台４に取り付ける。
その後、接合部Ｗ２まで形成した補綴物素材ブロックＷＢを擬似歯台１０に被せるように設置する。この際、擬似歯台１０の補綴物設置部１２に、補綴物素材ブロックＷＢの接合部Ｗ２を向かい合わせるように設置する。ここで、上述したように、補綴物素材ブロックＷＢの接合部Ｗ２（凹陥形状）は、擬似歯台１０の補綴物設置部１２（凸形状）と一致するように形成されており、このため補綴物素材ブロックＷＢは擬似歯台１０に密着するようになり、安定した設置状態が得られる。
その後、ワーク架台４の吸引路４１を通じて、擬似歯台１０の吸引孔１３にバキュームエアを作用させるものであり、これにより補綴物素材ブロックＷＢが強固に且つ確実に保持される。
【００３２】
（１１）補綴物（接合部以外の本体面）の加工
このようにして補綴物素材ブロックＷＢをワーク架台４に間接的に吸着保持したら、一例として図２（ｆ）に示すように、当該ブロックの本体面Ｗ３を切削刃７により三次元切削し、希望する補綴物形状（歯牙形状）に削り出すものである。
また、本発明はステーＳや支持台座Ｄを有しない補綴物素材ブロックＷＢから補綴物Ｗを切削加工するため、補綴物Ｗの加工にあたり、従来のようなランナー部Ｒを残す必要がなく（確保する必要がなく）補綴物Ｗを完成させることができ、ランナー部Ｒの切除や、この切除痕の平滑研摩等の作業も不要となる。更に、本発明では、ランナー部Ｒを折って修正する必要もないため、補綴物素材ブロックＷＢとしてジルコニアのような極めて硬い素材でも適用できるものである。
【００３３】
なお、擬似歯台１０の加工時に擬似ベースブロック１０Ｂを固定する固定装置２と、補綴物加工時（接合部Ｗ２の加工時）に補綴物素材ブロックＷＢを固定する固定装置３とを兼用することについては上述したが、更に、これらの固定装置２・３と、上記バキューム機構６を具えた補綴物加工装置１を兼用することが可能である。すなわち、この場合には、バキューム機構６を具えた補綴物加工装置１で固定装置２・３を兼ねることができ、類似機能を有した設備機器を幾つも用意する必要がないものである。なお、一基の設備機器（補綴物加工装置１）でこれらの加工を行う場合、補綴物Ｗの本体面Ｗ３を形成する時以外は、バキュームエアを作用させないで本装置を用いることが可能である（作用させても構わない）。
【００３４】
また、上記「擬似歯台の加工」によって得られた擬似歯台１０は、歯科模型（支台模型）としても使用することができる。すなわち通常、製作を終えた補綴物Ｗは、歯科模型（支台模型）に被せたセット状態で歯科医に納品されるため、上記擬似歯台１０を、この擬似歯台（歯科模型）として使用することができるものである。
なお、上記説明では、補綴物Ｗとしては主にクラウンについて述べたが、他の補綴物Ｗとしてはブリッジ、インレー、アンレーなども同様の手法で形成することができる。
【符号の説明】
【００３５】
１        補綴物加工装置
２        固定装置（擬似ベースブロック固定装置）
３        固定装置（補綴物素材ブロック固定装置）
４        ワーク架台
５        定盤
６        バキューム機構
７        切削刃
１０      擬似歯台
２        固定装置（擬似ベースブロック固定装置）
２１      クランプ
２２      切削刃
３        固定装置（補綴物素材ブロック固定装置）
３１      クランプ
３２      切削刃
４        ワーク架台
４１      吸引路
１０      擬似歯台
１０Ｂ    擬似ベースブロック
１１      座面
１２      補綴物設置部（頂部）
１３      吸引孔
Ｗ        補綴物
ＷＢ      補綴物素材ブロック
Ｗ１      座面
Ｗ２      接合部
Ｗ３      本体面
Ｃ        ３Ｄ光学カメラ
Ｔ        支台歯
Ｐ        患者（被治療者）
Ｍ        自動切削機（ミリングマシン）
Ｓ        ステー
Ｄ        支持台座
Ｒ        ランナー部
【図１】
2016030158.tif 000003
【図２】
2016030158.tif 000004
【図３】
2016030158.tif 000005